(57)【要約】【課題】ケースにバッグを収容した状態では、ケースのケース本体の開口をリッドによって確実に閉じたままに保持できるようにする一方、車両衝突時には、ケースの外部にバッグを応答性よく突出させることができるようにする。【解決手段】バッグ３を収容する樹脂製ケース４が、開口６を有するケース本体７と、開口６を開可能に閉じるリッド１０とを備える。ケース本体７とリッド１０とのうち、いずれか一方に掛止孔１４を形成し、他方に掛止突起１５を突設する。掛止突起１５が、基部１８の突出端に形成され、掛止孔１４を通り抜けてこの掛止孔１４の孔縁部の一部１９に掛止されるフック部２０を備える。掛止突起１５をその突出方向に向かう視線で見て、フック部２０の側面を、孔縁部の一部１９側から基部１８側に向かうに従い外側方に向かって傾斜する傾斜面２３とし、傾斜面２３の基部１８側の端部２３ａを掛止孔１４の内部に位置させる。【選択図】図１
2010089693.tif 000002
【特許請求の範囲】
【請求項１】
車両衝突時にガス圧により膨張可能とされるバッグを収容する樹脂製ケースを設け、このケースが、開口を有するケース本体と、上記開口を開可能に閉じるリッドとを備え、上記ケース本体とリッドとのうち、いずれか一方に掛止孔を形成し、他方に掛止突起を突設し、この掛止突起が、上記他方から突出する基部と、この基部の突出端に形成され、上記掛止孔を通り抜けてこの掛止孔の孔縁部の一部に掛止されるフック部とを備えた車両用エアバッグ装置において、
上記掛止突起をその突出方向に向かう視線で見て、上記フック部の側面を、上記孔縁部の一部側から上記基部側に向かうに従い外側方に向かって傾斜する傾斜面とし、この傾斜面の上記基部側の端部を上記掛止孔の内部に位置させたことを特徴とする車両用エアバッグ装置。
【発明の詳細な説明】
【技術分野】
【０００１】
本発明は、ガス圧により膨張可能とされるバッグを収縮状態で収容するケースを備え、車両衝突時に、上記バックが膨張して上記ケースの外部に突出するようにした車両用エアバッグ装置に関するものである。
【背景技術】
【０００２】
上記車両用エアバッグ装置には、従来、下記特許文献１に示されるものがある。この公報のものによれば、車両用エアバッグ装置は、車両の衝突時にガス圧により膨張可能とされるバッグと、このバッグを収縮状態で収容する樹脂製ケースとを備えている。
【０００３】
上記ケースは、開口を有するケース本体と、上記開口の開口縁部の一部分にヒンジ部を介し一体的に形成され、このヒンジ部を中心とした回動により上記開口を開可能に閉じるリッドとを備えている。このリッドの回動端部には掛止孔が形成され、上記ケース本体の開口の開口縁部の他部分には掛止突起が突設されている。この掛止突起は上記開口縁部の他部分から突出する基部と、この基部の突出端に形成され、上記掛止孔を通り抜けてこの掛止孔の孔縁部の一部に掛止されるフック部とを備えている。
【０００４】
そして、車両衝突時には、上記ガス圧により膨張するバッグからの外力により、上記孔縁部の一部への上記フック部の掛止が解除されて上記開口が開かれ、この開口を通し上記バッグがケースの外部に突出する。そして、このバッグにより、上記車両衝突時に乗員が車両構成部品にぶつかるときの衝撃力が緩和されるようになっている。
【特許文献１】特開２００３−２３７５１５号公報
【発明の開示】
【発明が解決しようとする課題】
【０００５】
ところで、通常、上記ケースはより小型であることが要求される。そこで、このケースにバッグを収容させるときには、このバッグもより小型になるようこのバッグを外部から加圧し、ある程度弾性的に圧縮させたコンパクトな状態で上記ケースに収容させる。このため、この収容後には、このケースの内面に上記バッグの弾性的な復元力が与えられる。すると、この復元力により、上記掛止孔の孔縁部の一部への上記フック部の掛止が不意に解除されて、上記ケース本体の開口が不意に開かれてしまうおそれがある。
【０００６】
そこで、上記掛止を、より確実なものとすることにより、ケースにバッグを収容した状態では、上記ケース本体の開口がリッドによって確実に閉じられたままに保持されるようにすることが考えられる。しかし、単にこのようにすると、車両衝突時にバッグがガス圧により膨張し、このバッグからの外力により、上記掛止が解除されようとするとき、この掛止を解除するために時間を要することとなる。この結果、上記衝突により上記ケースの外部にバッグが突出する時の応答性が低下するおそれが生じて、好ましくない。
【課題を解決するための手段】
【０００７】
本発明は、上記のような事情に注目してなされたもので、本発明の目的は、ケースにバッグを収容した状態では、上記ケース本体の開口をリッドによって確実に閉じたままに保持できるようにする一方、車両衝突時には、ケースの外部にバッグを応答性よく突出させることができるようにすることである。
【０００８】
請求項１の発明は、車両衝突時にガス圧２により膨張可能とされるバッグ３を収容する樹脂製ケース４を設け、このケース４が、開口６を有するケース本体７と、上記開口６を開可能に閉じるリッド１０とを備え、上記ケース本体７とリッド１０とのうち、いずれか一方に掛止孔１４を形成し、他方に掛止突起１５を突設し、この掛止突起１５が、上記他方から突出する基部１８と、この基部１８の突出端に形成され、上記掛止孔１４を通り抜けてこの掛止孔１４の孔縁部の一部１９に掛止されるフック部２０とを備えた車両用エアバッグ装置において、
上記掛止突起１５をその突出方向に向かう視線で見て（図５）、上記フック部２０の側面を、上記孔縁部の一部１９側から上記基部１８側に向かうに従い外側方に向かって傾斜する傾斜面２３とし、この傾斜面２３の上記基部１８側の端部２３ａを上記掛止孔１４の内部に位置させたことを特徴とする車両用エアバッグ装置である。
【０００９】
なお、この項において、上記各用語に付記した符号や図面番号は、本発明の技術的範囲を後述の「実施例」の項や図面の内容に限定解釈するものではない。
【発明の効果】
【００１０】
本発明による効果は、次の如くである。
【００１１】
請求項１の発明は、車両衝突時にガス圧により膨張可能とされるバッグを収容する樹脂製ケースを設け、このケースが、開口を有するケース本体と、上記開口を開可能に閉じるリッドとを備え、上記ケース本体とリッドとのうち、いずれか一方に掛止孔を形成し、他方に掛止突起を突設し、この掛止突起が、上記他方から突出する基部と、この基部の突出端に形成され、上記掛止孔を通り抜けてこの掛止孔の孔縁部の一部に掛止されるフック部とを備えた車両用エアバッグ装置において、
上記掛止突起をその突出方向に向かう視線で見て、上記フック部の側面を、上記孔縁部の一部側から上記基部側に向かうに従い外側方に向かって傾斜する傾斜面とし、この傾斜面の上記基部側の端部を上記掛止孔の内部に位置させている。
【００１２】
ここで、上記ケースには、通常、バッグが、ある程度弾性的に圧縮された状態で収容される。このため、この収容後には、このケースの内面に上記バッグの弾性的な復元力が与えられ、この復元力により、上記掛止孔の孔縁部の一部への上記フック部の掛止が不意に解除されて、上記ケース本体の開口が不意に開かれてしまうおそれがある。
【００１３】
そこで、例えば、上記掛止孔の孔縁部の一部へのフック部の掛止面積をある程度大きくして、上記掛止を、より確実なものとしてやれば、ケースにバッグを収容した状態で、上記ケースのケース本体の開口をリッドによって確実に閉じたままに保持させることができる。
【００１４】
一方、車両衝突時には、ガス圧により膨張するバッグからの外力により、上記ケースのケース本体とリッドとの各内面が押圧される。すると、上記バッグからの押圧力により、上記ケース本体は膨出変形すると共に、上記リッドは上記ケース本体の開口を開くよう外方に回動しようとする。
【００１５】
この際、上記したケース本体の膨出変形に連動する上記掛止突起は上記掛止孔の孔芯に対し傾斜しがちとなる。すると、この掛止突起のフック部の傾斜面の端部は上記掛止孔内に円滑に入り込む。その後、上記リッドの開回動に伴い上記掛止孔から上記フック部が抜け出そうとするとき、このフック部の傾斜面が上記掛止孔の内面に圧接してこの掛止孔を拡開させたりフック部が圧縮変形したりするという楔作用により、上記した掛止孔からのフック部の抜け出しは迅速に達成される。つまり、上記掛止が直ちに解除される。
【００１６】
即ち、前記したように、ケースにバッグを収容した状態では、上記ケース本体の開口をリッドによって確実に閉じたままに保持できる一方、車両衝突時には、上記掛止が直ちに解除されて上記ケース本体の開口が迅速に開かれ、ケースの外部にバッグを応答性よく突出させることができる。そして、このバッグによれば、上記車両衝突時に乗員が車両構成部品にぶつかるときの衝撃力が、より確実に緩和される。
【発明を実施するための最良の形態】
【００１７】
本発明の車両用エアバッグ装置に関し、ケースにバッグを収容した状態では、上記ケースのケース本体の開口をリッドによって確実に閉じたままに保持できるようにする一方、車両衝突時には、ケースの外部にバッグを応答性よく突出させることができるようにする、という目的を実現するため、本発明を実施するための最良の形態は、次の如くである。
【００１８】
即ち、車両衝突時にガス圧により膨張可能とされるバッグを収容する樹脂製ケースを設け、このケースが、開口を有するケース本体と、上記開口を開可能に閉じるリッドとを備えている。上記ケース本体とリッドとのうち、いずれか一方に掛止孔が形成され、他方に掛止突起が突設されている。この掛止突起は、上記他方から突出する基部と、この基部の突出端に形成され、上記掛止孔を通り抜けてこの掛止孔の孔縁部の一部に掛止されるフック部とを備えている。そして、上記ガス圧により膨張するバッグからの外力により、上記孔縁部の一部への上記フック部の掛止が解除されて上記開口が開かれ、この開口を通し上記バッグがケースの外部に突出することとされている。
【００１９】
上記掛止突起をその突出方向に向かう視線で見て、上記フック部の側面は、上記孔縁部の一部側から上記基部側に向かうに従い外側方に向かって傾斜する傾斜面とされ、この傾斜面の上記基部側の端部が上記掛止孔の内部に位置させられている。
【実施例】
【００２０】
本発明をより詳細に説明するために、その実施例を添付の図に従って説明する。
【００２１】
図１〜４と、図５（ａ）とにおいて、符号１は車両用エアバッグ装置であり、このエアバッグ装置１は、車体側に支持され、車両の衝突時にガス圧２により膨張可能とされるバッグ３と、このバッグ３を、ある程度弾性的な収縮状態で収容する樹脂製ケース４と、車両の衝突時に着火させられて上記ガス圧２を発生する不図示のインフレータとを備えている。ここで、上記車体側とは、車室における運転席前方のステアリングパッド内部、助手席前方のインスツルメントパネル内部、シート内部、天井板（ルーフヘッドライニング）内部、ボンネットフード内部などである。
【００２２】
上記ケース４は、矩形の開口６を有するケース本体７と、上記ケース４の開口縁部８の一部分８ａにヒンジ部９を介し一体的に形成され、このヒンジ部９を中心とした回動Ａにより上記開口６を開可能に閉じる矩形平板形状のリッド１０とを備えている。
【００２３】
上記リッド１０の回動端部１０ａの外面には、この回動端部１０ａの端縁に沿った第１方向Ｂで複数（４つ）の門形状の突起１３が一体的に突設されている。これらリッド１０の回動端部１０ａの外面と各突起１３とで囲まれた各部分が掛止孔１４とされている。これら各掛止孔１４は、上記リッド１０の外面に沿った方向、かつ、上記第１方向Ｂに直交する方向である第２方向Ｃに向かって貫通し、上記各掛止孔１４の孔芯１４ａは、上記第２方向Ｃに平行に延びている。上記各突起１３は、上記第１方向Ｂでのリッド１０の中心線１６を基準として対象に配置され、各突起１３は、上記第１方向Ｂで互いに等ピッチとなるよう配置されている。
【００２４】
上記開口６の開口縁部８のうち、この開口６を挟んで上記一部分８ａと対面する他部分８ｂから上記第２方向Ｃ、かつ、各突起１３に向かって一体的に複数（４つ）の掛止突起１５が突設されている。これら各掛止突起１５は、上記他部分８ｂから突出する断面矩形の基部１８と、この基部１８の突出端に一体的に形成され、上記掛止孔１４を通り抜けてこの掛止孔１４の孔縁部の一部１９に掛止されるフック部２０とを備えている。
【００２５】
上記掛止突起１５を、その突出方向（第２方向Ｃの一方向）に向かう視線で見て（図５（ａ））、上記フック部２０の左右各側面は、それぞれ上記孔縁部の一部１９側から上記基部１８側に向かうに従い外側方に向かって直線的に傾斜する傾斜面２３とされている。また、これら各傾斜面２３の上記基部１８側の各端部２３ａは、上記掛止孔１４の内部に位置することとされている。
【００２６】
より具体的には、図５（ａ）によれば、上記フック部２０の上記孔縁部の一部１９側の部分は、台形の頂部形状（山形状）とされている。また、上記フック部２０の外面は、掛止突起１５の突出方向に向かうに従い、上記リッド１０の外面に接近するテーパ形状とされている。
【００２７】
ここで、上記ケース４はより小型であることが要求される。そこで、このケース４に折り畳んだバッグ３を収容させるときには、このバッグ３もより小型になるようこのバッグ３を外部から加圧し、ある程度弾性的に圧縮させたコンパクトな状態で上記ケース４に収容させる。このため、この収容後には、このケース４の内面に上記バッグ３の弾性的な復元力が与えられる。すると、この復元力により、上記掛止孔１４の孔縁部の一部１９への上記フック部２０の掛止が不意に解除されて、上記ケース本体７の開口が不意に開かれてしまうおそれがある。
【００２８】
そこで、上記掛止孔１４の孔縁部の一部１９へのフック部２０の掛止面積がある程度大きくされるなどして、上記掛止が、より確実なものとされている。このため、上記ケース４にバッグ３を収容した状態で、上記ケース４のケース本体７の開口６はリッド１０によって確実に閉じられたままに保持されるようになっている。
【００２９】
一方、車両衝突時には、この衝突を検出した検出センサーの検出信号により、上記インフレータが着火させられてガス圧２が発生する。そして、このガス圧２により膨張するバッグ３からの外力により、上記ケース４のケース本体７とリッド１０との各内面が押圧される。すると、上記バッグ３からの押圧力により、上記ケース本体７は膨出変形する（図１，４中一点鎖線）と共に、上記リッド１０は上記ケース本体７の開口６を開くよう外方に回動Ａしようとする。
【００３０】
この際、上記第１方向Ｂと第２方向Ｃとにそれぞれ直交する第３方向Ｄに沿った正面視の視線で見て（図１，４）、上記各係止突起１５は、上記第１方向Ｂで上記中心線１６から離れて位置している。このため、上記したケース本体７の膨出変形に連動する上記各掛止突起１５はそれぞれ上記掛止孔１４の孔芯１４ａに対し傾斜しがちとなる。すると、この掛止突起１５のフック部２０の傾斜面２３の端部２３ａは上記掛止孔１４内に円滑に入り込む。その後、上記リッド１０の開回動Ａに伴い、上記掛止孔１４から上記フック部２０が抜け出そうとするとき、このフック部２０の傾斜面２３が上記掛止孔１４の内面に圧接してこの掛止孔１４を拡開させたりフック部２０が圧縮変形したりするという楔作用により、上記した掛止孔１４からのフック部２０の抜け出しは迅速に達成される。つまり、上記掛止が直ちに解除される。
【００３１】
即ち、前記したように、ケース４にバッグ３を収容した状態では、上記ケース４のケース本体７の開口６はリッド１０によって確実に閉じたままに保持される一方、車両衝突時には、上記掛止が直ちに解除されて上記ケース本体７の開口６が迅速に開かれ、ケース４の外部にバッグ３が応答性よく突出させられる（図２，３中、一点鎖線）。そして、このバッグ３によれば、上記車両衝突時に乗員が車両構成部品にぶつかるときの衝撃力が、より確実に緩和される。
【００３２】
図５（ｂ）は、上記掛止突起１５のフック部２０の他の実施例である。これによれば、上記掛止突起１５を、その突出方向に向かう視線で見て、各傾斜面２３は円弧凸形状とされている。これにより、このフック部２０の上記孔縁部の一部１９側の部分は全体として円弧凸形状とされている。なお、上記各傾斜面２３は円弧凹形状であってもよい。
【００３３】
図５（ｃ）は、上記掛止突起１５のフック部２０の更に他の実施例である。これによれば、上記掛止突起１５を、その突出方向に向かう視線で見て、上記フック部２０の上記孔縁部の一部１９側の部分は全体として三角頂部形状とされている。
【００３４】
なお、以上は図示の例によるが、上記開口６の開口縁部８の他部分８ｂに掛止孔１４を形成し、上記リッド１０の回動端部１０ａに掛止突起１５を突設してもよい。また、上記掛止孔１４と掛止突起１５との組み合わせ体は、上記した４つの他、２つ、３つや５つ以上であってもよい。また、上記掛止突起１５のフック部２０は、図５（ａ）〜（ｃ）の各部分の構成を、本発明の課題、作用効果に照らして種々組み合せてもよく、フック部２０の一側面のみを傾斜面２３としてもよい。また、上記リッド１０を観音開き式とし、これら両リッド１０の回動端部１０ａのいずれか一方に掛止孔１４を形成し、他方に掛止突起１５を突設してもよい。
【図面の簡単な説明】
【００３５】
【図１】エアバッグ装置の正面図である。
【図２】エアバッグ装置の斜視図である。
【図３】図１のIII−III線矢視断面図である。
【図４】図１のIV部の拡大図である。
【図５】図４のV−V線矢視断面図である。
【符号の説明】
【００３６】
１    エアバッグ装置
２    ガス圧
３    バッグ
４    ケース
６    開口
７    ケース本体
８    開口縁部
８ａ  一部分
８ｂ  他部分
９    ヒンジ部
１０  リッド
１０ａ  回動端部
１３  突起
１４  掛止孔
１４ａ  孔芯
１５  掛止突起
１６  中心線
１８  基部
１９  孔縁部の一部
２０  フック部
２３  傾斜面
２３ａ  端部
Ａ    回動
Ｂ    第１方向
Ｃ    第２方向
Ｄ    第３方向
【図１】
2010089693.tif 000003
【図２】
2010089693.tif 000004
【図３】
2010089693.tif 000005
【図４】
2010089693.tif 000006
【図５】
2010089693.tif 000007